(57)【要約】【課題】未使用器具があってもその取り外しを省略できる照明制御システムを提供する。【解決手段】照明器具と通信を行うインタフェース、及びメモリに結合されたプロセッサを備える照明制御システムであって、プロセッサは、ユーザが特定した照明器具の仕込み図を表す仕込み図情報をメモリに格納し、インタフェースを介して照明器具の実際の配置を表すネットワーク図情報を取得し、ネットワーク図情報をメモリに格納し、仕込み図情報に存在しないのに、ネットワーク図情報には存在する未使用器具を特定し、未使用器具を視覚的にユーザに示す。【選択図】図１
2020057593.tif 000002
【特許請求の範囲】
【請求項１】
照明器具と通信を行うインタフェース、及び
メモリに結合されたプロセッサ
を備える照明制御システムであって、
前記プロセッサは、
ユーザが特定した照明器具の仕込み図を表す仕込み図情報を前記メモリに格納し、
前記インタフェースを介して前記照明器具の実際の配置を表すネットワーク図情報を取得し、前記ネットワーク図情報を前記メモリに格納し、
前記仕込み図情報に存在しないのに、前記ネットワーク図情報には存在する未使用器具を特定し、前記未使用器具を視覚的にユーザに示す
照明制御システム。
【請求項２】
前記プロセッサは、前記未使用器具に対して制御に使用しないことを表すラベルを付与する請求項１に記載の照明制御システム。
【請求項３】
前記ラベルは、ＤＭＸ（Digital Multiplex）−５１２Ａプロトコル又はＲＤＭ（Remote Device Management）プロトコルの特定チャンネルである請求項２に記載の照明制御システム。
【請求項４】
前記ラベルは、ＤＭＸ−５１２Ａプロトコル又はＲＤＭプロトコルの第５１２チャンネルである請求項３に記載の照明制御システム。
【請求項５】
前記プロセッサは、前記未使用器具に対して制御に使用することを表すラベルを付与する請求項１に記載の照明制御システム。
【請求項６】
前記ラベルは、前記仕込み図情報及び前記ネットワーク図情報の両方に存在する前記照明器具で使用されているＤＭＸ−５１２Ａプロトコル又はＲＤＭプロトコルのチャンネルを除いて、最も小さい番号のチャンネルである、請求項５に記載の照明制御システム。
【請求項７】
前記プロセッサは、前記仕込み図情報に存在するのに、前記ネットワーク図情報には存在しない未検出器具を特定し、前記未検出器具を視覚的にユーザに示す請求項１〜６のいずれか一項に記載の照明制御システム。
【請求項８】
照明器具と通信を行うインタフェース、及びメモリに結合されたプロセッサを備える照明制御システムを制御するプログラムであって、
前記プログラムは、前記プロセッサによって実行されることによって、
ユーザが特定した照明器具の仕込み図を表す仕込み図情報を前記メモリに格納し、
前記インタフェースを介して前記照明器具の実際の配置を表すネットワーク図情報を取得し、前記ネットワーク図情報を前記メモリに格納し、
前記仕込み図情報に存在しないのに、前記ネットワーク図情報には存在する未使用器具を特定し、前記未使用器具を視覚的にユーザに示す
機能を実現するプログラム。
【発明の詳細な説明】
【技術分野】
【０００１】
本開示は、照明制御システム及び照明制御プログラムに関する。
【背景技術】
【０００２】
番組の収録等を行うスタジオではさまざまな照明器具が照明バトンに吊り下げられる。照明器具は、照明器具の種類、位置等を示す、いわゆる仕込み図に従って吊り下げられる。新しい収録の準備には、仕込み図に記載された照明器具を吊り下げなければならない。異なる収録には異なる仕込み図が用いられるのがふつうである。よって新しい収録の準備においては、仕込み図にないので使用されないが、実際にはスタジオに吊り下げられ、かつネットワークに接続されている照明器具（「未使用器具」という）が存在することがある。
【発明の概要】
【発明が解決しようとする課題】
【０００３】
新しい収録の準備のために、未使用器具のネットワーク接続を外すには時間と人手がかかるという課題があることに本願発明者は気付いた。
【課題を解決するための手段】
【０００４】
ある実施形態によれば、照明器具と通信を行うインタフェース、及びメモリに結合されたプロセッサを備える照明制御システムが提供され、前記プロセッサは、ユーザが特定した照明器具の仕込み図を表す仕込み図情報を前記メモリに格納し、前記インタフェースを介して前記照明器具の実際の配置を表すネットワーク図情報を取得し、前記ネットワーク図情報を前記メモリに格納し、前記仕込み図情報に存在しないのに、前記ネットワーク図情報には存在する未使用器具を特定し、前記未使用器具を視覚的にユーザに示す。
【０００５】
ある実施形態によれば、照明器具と通信を行うインタフェース、及びメモリに結合されたプロセッサを備える照明制御システムを制御するプログラムが提供され、前記プログラムは、前記プロセッサによって実行されることによって、ユーザが特定した照明器具の仕込み図を表す仕込み図情報を前記メモリに格納し、前記インタフェースを介して前記照明器具の実際の配置を表すネットワーク図情報を取得し、前記ネットワーク図情報を前記メモリに格納し、前記仕込み図情報に存在しないのに、前記ネットワーク図情報には存在する未使用器具を特定し、前記未使用器具を視覚的にユーザに示す。
【発明の効果】
【０００６】
未使用器具があってもその取り外しを省略できる。
【図面の簡単な説明】
【０００７】
【図１】照明システムのブロック図である。
【図２】照明制御システム１１０が実行するアルゴリズムを示すフロー図である。
【図３】仕込み図を示す図である。
【図４】仕込み図、及び器具品番情報の割り当てを示す図である。
【図５】仕込み図、及びＤＭＸ番号の設定を示す図である。
【図６】仕込み図、及び実際の配置を表すネットワーク図を示す。
【図７】仕込み図、及び実際の配置を表すネットワーク図を示す。
【図８】比較の後に更新された仕込み図、及び実際の配置を表すネットワーク図を示す。
【図９】比較の後に更新された仕込み図、及び実際の配置を表すネットワーク図を示す。
【図１０】比較の後に更新された仕込み図、及び実際の配置を表すネットワーク図を示す。
【図１１】比較の後に更新された仕込み図、及び実際の配置を表すネットワーク図を示す。
【発明を実施するための形態】
【０００８】
以下の記載及び図面において、対応する部分は同じ参照番号で示される。図面で示される要素の大きさは、必ずしも正確な縮尺では表されていない。
【０００９】
図１は、照明システム１００のブロック図である。照明システム１００は、照明制御システム１１０、ＬＡＮ（local area network）−ＤＭＸ変換器１２０、及び照明器具１３０を備える。照明システム１００は、例えばスタジオの副調整室及びスタジオに設けられる。
【００１０】
照明制御システム１１０は、プロセッサ１１２、メモリ１１４、及びインタフェース１１６を備える。照明制御システム１１０は、例えば、調光卓、パーソナルコンピュータ、又はタブレットコンピュータ等である。照明制御システム１１０のさまざまな機能は、複数の要素に分散されて実現されてもよい。例えば、照明制御システム１１０の一部の機能が調光卓によって実現され、他の機能が照明制御システム１１０に結合されたパーソナルコンピュータ又はタブレットコンピュータ等によって実現されてもよい。
【００１１】
プロセッサ１１２は、例えば調光卓やパーソナルコンピュータの中にあるマイクロプロセッサである。プロセッサ１１２は、メモリ１１４に格納されたプログラムを実行することによって照明制御システム１１０のさまざまな機能を実現する。メモリ１１４は、後述する仕込み図情報及びネットワーク図情報を格納する。
【００１２】
インタフェース１１６は、プロセッサ１１２が出力した調光制御の信号を例えばＬＡＮを実現するイーサネット（登録商標）プロトコルに従う信号に変換し、ＬＡＮ−ＤＭＸ変換器１２０に出力する。インタフェース１１６は、ディスプレイ１１８にも接続される。ディスプレイ１１８は、プロセッサ１１２が実行するアプリケーションソフトウェアのＧＵＩ（グラフィカルユーザインタフェース）を実現する。
【００１３】
ＬＡＮ−ＤＭＸ変換器１２０は、イーサネットプロトコルの信号をＤＭＸ（Digital Multiplex）信号に変換し、照明器具１３０に出力する。照明器具１３０は、ＬＡＮ−ＤＭＸ変換器１２０からの信号に応答して、その明るさ、色などを変化させ照明演出を行う。図１は、最小構成の一例として、ＬＡＮ−ＤＭＸ変換器１２０を１台だけ用いるが、これには限定されず、ＬＡＮ−ＤＭＸ変換器１２０は複数台であってもよい。図１では、ＬＡＮ−ＤＭＸ変換器１２０に接続される照明器具１３０は、４系統で１台ずつ接続されているが、これには限定されず、例えば、系統数がより多くてもより少なくてもよい。また１つの系統に接続される照明器具１３０の個数は任意であって、照明器具１３０は、数珠繋ぎで多数接続されてもよい。
【００１４】
一般的にはスタジオに設置されたバトンには、それぞれＤＭＸポートが設置されている。照明制御システム１１０は、調光信号を用いて照明器具１３０を制御する。一般的には全てのＤＭＸ番号について制御を行うが、照明制御システム１１０においては、特定のＤＭＸ番号の場合は制御しない。照明制御システム１１０は、ＲＤＭ（Remote Device Management）プロトコルを用いて照明器具１３０を検索することができる。プロセッサ１１２が実行するアプリケーションソフトウェアは、スタジオでの収録に必要な照明器具１３０が配置された仕込み図をユーザの操作を介して作成する。仕込み図は、吊り込み図、吊り図等とも呼ばれる。
【００１５】
図２は、照明制御システム１１０が実行するアルゴリズム２００を示すフロー図である。
【００１６】
アルゴリズム２００は、２１０において開始され、２９０において終了する。
【００１７】
２２０において、照明制御システム１１０は、仕込み図に照明器具を配置する。照明制御システム１１０は、例えば、パーソナルコンピュータ上で実行されるアプリケーションソフトウェアを用いる。ユーザは、ディスプレイに表示されたスタジオ図面において、番組収録に必要な照明器具を配置する。
【００１８】
図３は、２２０の仕込み図３００を示す図である。仕込み図３００において、ユーザは、例えば照明器具の種類を選択して、任意のバトン上に任意の方向で配置する。このときプロセッサ１１２は、ユーザが特定した照明器具１３０の仕込み図を表す仕込み図情報をメモリ１１４に格納する。
【００１９】
２３０において、照明制御システム１１０は、バトン上に配置された器具の品番を、各バトンに対応するＤＭＸポートに割り当てる。
【００２０】
図４は、２３０の仕込み図４００、及び器具品番情報の割り当て４１０を示す図である。仕込み図４００において、バトンと照明器具とが関連付けられる。割り当て４１０は、バトン名称と、ＤＭＸポート、及び器具品番を関連付ける。割り当て４１０は、典型的にはメモリ１１４に格納される。
【００２１】
２４０において、照明制御システム１１０は、仕込み図４００上で配置された照明器具にＤＭＸ番号を割り当てる。
【００２２】
図５は、２４０の仕込み図５００、及びＤＭＸ番号の設定５１０を示す図である。それぞれの照明器具に設定されるＤＭＸ番号は、任意であり、ユーザが設定してもよい。ＤＭＸ番号は典型的には１〜５１２を取り得るが、後述するようにここでは１〜５１１の範囲で設定できる。ＤＭＸ番号に重複した番号を設定すれば、複数の照明器具に同じ制御をさせることができる。なお本開示の記載及び図５等においては、便宜上、ＤＭＸ番号は、A001, A002, A003, …のように表記されているが、先頭のAはDMX信号である512番号を複数扱うためのラベルであり、Ａ１〜Ａ５１２の次はＢ１〜Ｂ５１２、Ｃ１〜Ｃ５１２のように割り当てることが可能である。
【００２３】
２５０において、照明制御システム１１０は、ＲＤＭプロトコルを用いて、実際に吊り込まれた照明器具を検索し、実機の状態を表すネットワーク図を作成する。
【００２４】
図６は、仕込み図６１０、及び実際の配置を表すネットワーク図６２０を示す。ネットワーク図６２０における「？」は、実際に接続されている照明器具を検索中であり、まだ特定されていないことを表す。
【００２５】
一般に仕込み図は、目標となるシステムの構成を示す。これに対してネットワーク図は現状のシステムの構成を示す。ネットワーク図が仕込み図と一致すれば、ユーザの意図の通りであり理想的である。しかし、ユーザの必要とする照明器具が実際には配置されていなかったり、逆にユーザの必要としない照明器具が配置されていたりすることが起こり得る。アルゴリズム２００は、このような現状が目標と異なる場合に、ユーザの照明器具の吊り込み作業をより効率的にする。
【００２６】
２６０において、照明制御システム１１０は、ユーザが作成した仕込み図と、実際の配置を表すネットワーク図とを比較し、その差分をユーザに表示する。具体的には照明制御システム１１０は、同一ＤＭＸポートに接続されている器具の品番を比較する。すなわちプロセッサ１１２は、仕込み図情報に存在しないのに、ネットワーク図情報には存在する未使用器具を特定し、少なくとも未使用器具を視覚的にユーザに示す。これによりユーザは、未使用器具を効率的に認識できる。
【００２７】
上記に加えて、プロセッサ１１２は、仕込み図情報に存在するのに、ネットワーク図情報には存在しない未検出器具を特定し、未検出器具を視覚的にユーザに示してもよい。これによりユーザは、未検出器具を効率的に認識できる。
【００２８】
図７は、２６０で得られる仕込み図７１０、及び実際の配置を表すネットワーク図７２０を示す。仕込み図７１０には、２６０の比較の結果に基づいて、ネットワーク図７２０との差分が表示される。
【００２９】
照明制御システム１１０は、仕込み図７１０と同じ照明器具がネットワーク図７２０に存在する場合は、仕込み図７１０で割り当てたＤＭＸ番号をＲＤＭプロトコルで照明器具に設定する。例えば、ネットワーク図７２０のバトンR001には仕込み図７１０と同じ照明器具が存在するので、仕込み図７１０で割り当てたＤＭＸ番号A001をバトンR001に設置されている照明器具に設定する。設定されたＤＭＸ番号A001は、仕込み図７１０のバトンR001の下に表示される。
【００３０】
照明制御システム１１０は、仕込み図７１０と同じ照明器具がネットワーク図７２０に存在しない場合は、未検出器具というラベルを仕込み図７１０に表示する。例えば、仕込み図７１０において、バトンR005にはＤＭＸ番号A005が表示されているが、ネットワーク図７２０には対応する照明器具が存在しないので、仕込み図７１０のバトンR005に未検出器具というラベルを表示する。
【００３１】
照明制御システム１１０は、仕込み図７１０に存在しない照明器具がネットワーク図７２０に存在する場合は、未使用器具として仕込み図７１０に表示する。例えば、仕込み図７１０に存在しない照明器具がバトンR007に発見されたなら、仕込み図７１０においてバトンR007に未使用器具というラベルを表示する。より一般的には、プロセッサ１１２は、未使用器具に対して制御に使用しないことを表すラベルを付与する。このラベルに基づいてプロセッサ１１２は、例えば、未使用器具に対するユーザからの命令を無視することができる。
【００３２】
具体的にはこのラベルは、ＤＭＸ−５１２Ａプロトコル又はＲＤＭプロトコルの特定チャンネルであり得る。さらに具体的にはこのラベルは、ＤＭＸ−５１２Ａプロトコル又はＲＤＭプロトコルの第５１２チャンネルであり得る。これにより照明システム１００は、未使用器具を効率的に認識し、その制御を実行できる。すなわち未使用器具を第５１２チャンネルに割り当て、調光卓ではこの第５１２チャンネルを制御しないようにする。
【００３３】
代替として、このラベルに基づいてプロセッサ１１２は、例えば、未使用器具であることをディスプレイ１１８上でユーザに視覚的に表示することができる。これによりユーザは、未使用器具を認識しやすくなる。
【００３４】
図８は、２６０での比較の後に更新された仕込み図８１０、及び実際の配置を表すネットワーク図８２０を示す。照明制御システム１１０は、２６０での比較の結果をユーザに表示してから、必要に応じてユーザが未配置の照明器具を吊った後に仕込み図及びネットワーク図を更新してもよい。例えば、ユーザがバトンR005及びR006に所望の照明器具を吊った後に、照明制御システム１１０は、再度、２５０による照明器具の検索を行い、差分を表示する。ネットワーク図８２０では、バトンR005及びR006に所望の照明器具が存在するので、仕込み図８１０のバトンR005及びR006に表示されていた未検出器具というラベルを表示しないようにする。
【００３５】
図９は、２６０での比較の後に更新された仕込み図９１０、及び実際の配置を表すネットワーク図９２０を示す。仕込み図９１０及びネットワーク図９２０は、仕込み図８１０及びネットワーク図８２０の後に、照明制御システム１１０が追加で行う処理を示す。２６０において、バトンR007及びR008に設置された照明器具は、未使用器具とされていた。これは仕込み図６１０に示されるように、ユーザは、バトンR007及びR008に照明器具を設置するつもりはなかったからである。これら未使用器具をユーザが使うなら、適当なＤＭＸ番号を割り当てることによって、照明制御システム１１０が未使用器具を制御できるようにしてもよい。例えば、ユーザは、ディスプレイ１１８上で、仕込み図９１０のバトンR007及びR008の照明器具にＤＭＸ番号A007及びA008を設定できる。照明制御システム１１０は、ＲＤＭプロトコルでバトンR007及びR008の照明器具にＤＭＸ番号A007及びA008を設定する。設定された結果、仕込み図９１０に示されるように、ＤＭＸ番号A007及びA008の照明器具は、未使用器具というラベルを表示しないようにする。ＤＭＸ番号A007及びA008の照明器具は、実際にＤＭＸ番号も設定されているのでユーザが制御することも可能である。
【００３６】
図１０は、２６０での比較の後に更新された仕込み図１０１０、及び実際の配置を表すネットワーク図１０２０を示す。仕込み図１０１０及びネットワーク図１０２０は、仕込み図８１０及びネットワーク図８２０の後に、照明制御システム１１０が追加で行う処理を示す。図１０の処理は、図９の処理とは逆である。すなわちユーザは、バトンR007及びR008に設置されている未使用器具を使うつもりがないことを照明制御システム１１０に入力する。照明制御システム１１０は、プロセッサ１１２が実行する例えばアプリケーションソフトウェア上で、ユーザから未使用器具の無効化の指示を受け取る。この場合、照明制御システム１１０は、バトンR007及びR008に設置されている照明器具に対して特定のＤＭＸ番号を割り当てることによって、ユーザが制御できないようにするとともに、仕込み図１０１０からもアイコンを消去する。具体的には、照明制御システム１１０は、バトンR007及びR008に設置されている照明器具に例えばA512を割り当てる。これにより、照明器具をバトンから取り外す作業を行うことなく、調光卓からの制御を無効化できる。加えて照明制御システム１１０は、ディスプレイ１１８において、仕込み図１０１０に示されるように、未使用器具の表示（例えばアイコン）を消してもよい。これによってユーザは、使うつもりのない未使用器具をディスプレイ１１８上から消すことができ、仕込み図の視認性が向上する。
【００３７】
図１１は、２６０での比較の後に更新された仕込み図１１１０、及び実際の配置を表すネットワーク図１１２０を示す。仕込み図１１１０及びネットワーク図１１２０は、仕込み図８１０及びネットワーク図８２０の後に、照明制御システム１１０が追加で行う処理を示す。図１１において、仕込み図１１１０と同じ器具がネットワーク図１１２０に存在する場合は、照明制御システム１１０は、仕込み図１１１０で割り当てたＤＭＸ番号（例えばA001及びA002）をＲＤＭプロトコルで照明器具に割り当てる。仕込み図１１１０と同じ器具がネットワーク図１１２０に存在しない場合は、照明制御システム１１０は、未検出器具というラベルを仕込み図１１１０に表示する。
【００３８】
仕込み図１１１０に存在しない器具（すなわち未使用器具）がネットワーク図１１２０に存在する場合は、照明制御システム１１０は、この未使用器具に対して制御に使用することを表すラベル、例えばＤＭＸ番号（ここではA005及びA006）を自動的に付与する。このラベルは、仕込み図１１１０及びネットワーク図１１２０の両方に存在する照明器具で使用されているＤＭＸ−５１２Ａプロトコル又はＲＤＭプロトコルのチャンネル（ここではA001〜A004）を除いて、最も小さい番号（ここではA005及びA006）のチャンネルである。
【００３９】
図１１に示す処理によれば、仕込み図１１１０から少し異なる状態が必要な状況や仕込み図１１１０が準備されていない状況においても、照明制御システム１１０の自動的なラベル付与によって、効率的な収録準備が可能であるという効果を奏する。この自動的なラベル付与は、仕込み図１１１０の修正や手動での照明器具のアドレス設定を行わなくてもよいという利点もある。
【００４０】
本開示におけるさまざまな機能のそれぞれは、単一の要素で実現されてもよく、複数の要素で実現されてもよい。逆に複数の機能が単一の要素で実現されてもよい。それぞれの機能は、ハードウェア、ソフトウェア、又はハードウェア及びソフトウェアの組み合わせによって実現され得る。本開示におけるフロー図は、複数のブロックを含む。これらブロックの処理は、シリアルになされてもよく、パラレルになされてもよい。また一部ブロックの順序が入れ替わってもよい。
【００４１】
本開示における装置、システム、または方法の主体は、コンピュータを備えている。このコンピュータがプログラムを実行することによって、本開示における装置、システム、または方法の主体の機能が実現される。コンピュータは、プログラムに従って動作するプロセッサを主なハードウェア構成として備える。プロセッサは、プログラムを実行することによって機能を実現することができれば、その種類は問わない。プロセッサは、半導体集積回路（ＩＣ）、又はＬＳＩ（large scale integration）を含む一つ又は複数の電子回路で構成される。ここでは、ＩＣやＬＳＩと呼んでいるが、集積の度合いによって呼び方が変わり、システムＬＳＩ、ＶＬＳＩ(very large scale integration)、若しくはＵＬＳＩ(ultra large scale integration) と呼ばれるものであってもよい。ＬＳＩの製造後にプログラムされる、フィールド・プログラマブル・ゲート・アレイ(FPGA)、又はＬＳＩ内部の接合関係の再構成又はＬＳＩ内部の回路区画のセットアップができる再構成可能な論理デバイスも同じ目的で使うことができる。複数の電子回路は、一つのチップに集積されてもよいし、複数のチップに設けられてもよい。複数のチップは一つの装置に集約されていてもよいし、複数の装置に備えられていてもよい。プログラムは、コンピュータが読み取り可能なＲＯＭ、光ディスク、ハードディスクドライブなどの非一時的記録媒体に記録される。プログラムは、記録媒体に予め格納されていてもよいし、インターネット等を含む広域通信網を介して記録媒体に供給されてもよい。
【００４２】
上に説明されてきたものには、本発明のさまざまな例が含まれる。本発明を記載する目的では、要素や手順の考えられるあらゆる組み合わせを記載することは当然のことながら不可能であるが、当業者なら本発明の多くのさらなる組み合わせおよび順列が可能であることがわかるだろう。したがって本発明は、特許請求の範囲の精神および範囲に入るそのような改変、変更および変形例を全て含むよう意図される。
【符号の説明】
【００４３】
１００  照明システム
１１０  照明制御システム
１２０  ＬＡＮ−ＤＭＸ変換器
１３０  照明器具
【図１】
2020057593.tif 000003
【図２】
2020057593.tif 000004
【図３】
2020057593.tif 000005
【図４】
2020057593.tif 000006
【図５】
2020057593.tif 000007
【図６】
2020057593.tif 000008
【図７】
2020057593.tif 000009
【図８】
2020057593.tif 000010
【図９】
2020057593.tif 000011
【図１０】
2020057593.tif 000012
【図１１】
2020057593.tif 000013